(57)【要約】【課題】ドラムリールの円筒体と図柄表示体との密着性を保持できるリールを提供することを目的とする。【解決手段】駆動源により回転するドラムリールの円筒体の周囲に帯状の図柄表示体を巻き付けた回胴表示装置のリールにおいて、図柄表示体３の帯幅方向の両側の端部３１，３１に無折曲の図柄表示体側係合部（係合片１０）を設け、この図柄表示体側係合部がドラムリール２の円筒体４に設けられたドラムリール側係合部（凹部９）に係合されて図柄表示体３がドラムリール２に巻き付けられたものとした。【選択図】        図１
2004201760.tif 000002
【特許請求の範囲】
【請求項１】
ドラムリールの円筒体の外周面に帯状の図柄表示体を巻き付けた回胴表示装置のリールにおいて、図柄表示体の帯幅方向の両側の端部に図柄表示体側係合部を設け、この図柄表示体側係合部がドラムリールの円筒体に設けられたドラムリール側係合部に係合されて図柄表示体がドラムリールに巻き付けられたことを特徴とする回胴表示装置のリール。
【請求項２】
図柄表示体側係合部が図柄表示体の巻き始端あるいは巻き終端に設けられたことを特徴とする請求項１に記載の回胴表示装置のリール。
【請求項３】
図柄表示体側係合部が図柄表示体の巻き始端及び巻き終端に設けられたことを特徴とする請求項１に記載の回胴表示装置のリール。
【請求項４】
図柄表示体側係合部が図柄表示体の帯幅方向の両側の端部の複数箇所に設けられたことを特徴とする請求項１ないし請求項３のいずれかに記載の回胴表示装置のリール。
【請求項５】
ドラムリール側係合部は円筒体の幅方向の両側の端部において円筒体の外周面より立上る側壁に設けられた上部開放の凹部により形成され、図柄表示体側係合部は図柄表示体の両側の端部より横に突出し凹部に係合する係合片により形成されたことを特徴とする請求項１ないし請求項４のいずれかに記載の回胴表示装置のリール。
【請求項６】
ドラムリール側係合部は円筒体の幅方向の両側の端部において円筒体の外周面より立上る係止突起により形成され、図柄表示体側係合部は図柄表示体の両側の端部に設けられ係止突起が係止する係止孔により形成されたことを特徴とする請求項１ないし請求項４のいずれかに記載の回胴表示装置のリール。
【発明の詳細な説明】
【０００１】
【発明の属する技術分野】
この発明は、例えばパチンコ機やスロットマシンのような遊技機に設けられる回胴表示装置のリールに関するものである。
【０００２】
【従来の技術】
駆動源により回転するドラムリールの円筒体の周囲に帯状のリールテープ（図柄表示体）を一巡させて巻き付けたドラム式等と呼ばれる回胴表示装置のリールにおいて、リールテープの巻き始端と巻き終端を略直角に折曲して係止片を設け、この係止片が円筒体の周面に設けられた係止溝に嵌め込まれてリールテープがドラムリールに巻き付けられたリールが知られている（例えば、特許文献１参照）。これによれば、リールテープをドラムリールの周囲に取付ける際の位置決め作業及び取付け作業を容易にできる。
【０００３】
【特許文献１】
特開２００２−２００２５６号公報
【０００４】
【発明が解決しようとする課題】
特許文献１のリールにおいては、図柄表示体の巻き始端と巻き終端とを略直角に折曲して係止片を設けているため、この略直角の折曲部に反発力が生じ、ドラムリールの円筒体と図柄表示体との密着性を保持できないという課題があった。
本発明は、ドラムリールの円筒体と図柄表示体との密着性を保持できるリールを提供することを目的とする。
【０００５】
【課題を解決するための手段】
本発明は、ドラムリールの円筒体の外周面に帯状の図柄表示体を巻き付けた回胴表示装置のリールにおいて、図柄表示体の帯幅方向の両側の端部に図柄表示体側係合部を設け、この図柄表示体側係合部がドラムリールの円筒体に設けられたドラムリール側係合部に係合されて図柄表示体がドラムリールに巻き付けられたものとしたので、特許文献１のような折曲部による反発力が生じず、ドラムリールの円筒体と図柄表示体との密着性を保持できる。
また、図柄表示体側係合部が図柄表示体の巻き始端あるいは巻き終端に設けられたものとすることで、巻き始端あるいは巻き終端が図柄表示体側係合部で位置決めされた状態で図柄表示体を取付けることができるので、取付け作業が容易となり、かつ、ドラムリールの円筒体と図柄表示体との密着性を保持できる。
また、図柄表示体側係合部が図柄表示体の巻き始端及び巻き終端に設けられたものとすることで、巻き始端及び巻き終端の図柄表示体側係合部で位置決めされた状態で図柄表示体が取付けられるので、取付け作業が容易となり、かつ、ドラムリールの円筒体と図柄表示体との密着性を保持できる。また、巻き始端に設けた図柄表示体側係合部と巻き終端に設けた図柄表示体側係合部とをドラムリール側係合部に係合することで作業が正しく行えたか確認でき、作業を確実に行える。
また、図柄表示体側係合部が図柄表示体の帯幅方向の両側の端部の複数箇所に設けられたものとすることで、複数箇所に設けられた図柄表示体側係合部をドラムリール側係合部に係合することで、図柄表示体が巻き始端と巻き終端との間の複数箇所において位置決めされて取付け作業が容易となり、また、巻き始端と巻き終端との間の複数箇所において図柄表示体とドラムリールの円筒体との密着性を確実に保持できる。
また、ドラムリール側係合部は円筒体の幅方向の両側の端部において円筒体の外周面より立上る側壁に設けられた上部開放の凹部により形成され、図柄表示体側係合部は図柄表示体の両側の端部より横に突出し凹部に係合する係合片により形成されたものとすることで、無折曲の図柄表示体側係合部を実現でき、ドラムリールの円筒体と図柄表示体との密着性を確実に保持できる。
また、ドラムリール側係合部は円筒体の幅方向の両側の端部において円筒体の外周面より立上る係止突起により形成され、図柄表示体側係合部は図柄表示体の両側の端部に設けられ係止突起が係止する係止孔により形成されたものとすることで、無折曲の図柄表示体側係合部を実現でき、ドラムリールの円筒体と図柄表示体との密着性を確実に保持できる。
【０００６】
【発明の実施の形態】
実施形態１
以下、本発明の実施形態１を図１〜図３に基いて説明する。図１はリールの分解斜視図、図２は図柄表示体の平面図、図３は図柄表示体の巻き始端と巻き終端の取付け態様を示す図である。
実施形態１のリール１は、合成樹脂等により形成されたドラムリール２と、このドラムリール２の周囲を一巡するようにドラムリール２の周囲に巻き付けられて取付けられる帯状の図柄表示体３とで構成される。
【０００７】
ドラムリール２は、円筒体４と、この円筒体４に取付けられた複数本のスポーク部５（図では９０°間隔で４本のスポーク部５が設けられたものを例示している）と、これらスポーク部５を介して円筒の中心位置にくるよう設けられる取付部６とを備える。この取付部６の取付孔７に図外のステッピングモータ（駆動源）の出力軸が取付けられ、これによりドラムリール２が回転する。よって、ドラムリール２は駆動リールである。ドラムリール２の円筒体４の幅方向の両側の端部４１，４１には外周面４２より立上るフランジ（側壁）８が設けられている。このフランジ８の周方向の複数箇所にはフランジ８の上縁８１から外周面４２まで切欠かれて成る上部開放の凹部（ドラムリール側係合部）９が形成されている。
【０００８】
図柄表示体３は、例えば、ポリカーボネート等の光透過性の合成樹脂製より成り、ドラムリール２の円筒体４の外周面４２に巻き付けた時に外周面となる面３Ａには、転写印刷等により、特定の図柄３０が印刷されている。
図柄表示体３の帯幅方向の両側の端部３１，３１の複数箇所には上記凹部９に対応するように両側の端部３１，３１より横に突出させた係合片（図柄表示体側係合部）１０が設けられている。即ち、図柄表示体３は無折曲の係合片１０を備える。この係合片１０は図柄表示体３の巻き始端３２と巻き終端３３における帯幅方向の両側の端部３１，３１にも設けられており、この図柄表示体３の巻き始端３２と巻き終端３３における帯幅方向の両側の端部３１，３１に設けられている係合片１０ａ，１０ｂはドラムリール２に形成された同じ凹部９、即ち、始終端係合凹部９１に係合される。
【０００９】
従って、まず図柄表示体３の巻き始端３２の係合片１０ａ，１０ａをドラムリール２の始終端係合凹部９１，９１に係合し、そして、図柄表示体３を軽く引っ張りながら各係合片１０を対応する凹部９に係合させて行って最後に巻き終端３３の係合片１０ｂ，１０ｂをドラムリール２の始終端係合凹部９１，９１に係合する。これにより、図３に示すように、図柄表示体３の巻き始端部３２Ａの上に巻き終端部３３Ａが重なるように巻き付けられる。巻き始端部３２Ａの表面には両面接着テープ等の接着部材３５を取付けておき、この接着部材３５により巻き始端部３２Ａの表面と巻き終端部３３Ａの裏面とを接着する。
【００１０】
以上によれば、凹部９に係合片１０を合わせて取付けることにより、図柄表示体３をドラムリール２の円筒体４の外周囲に取付ける際の位置決め作業及び取付け作業を容易にできる。そして、図柄表示体３は無折曲の係合片１０を備えており、特許文献１の図柄表示体（リールテープ）のように図柄表示体の巻き始端と巻き終端とに略直角に折曲された係止片を備えていない。従って、特許文献１のように折曲部の反発が生じず、ドラムリール２の円筒体４の外周面４２と図柄表示体３との密着性を保持できる。
また、図柄表示体３の帯幅方向の両側の端部３１，３１の複数箇所に係合片１０を設けたので、複数箇所に設けられた係合片１０をドラムリール２の円筒体４の幅方向の両側の端部４１，４１に設けられた凹部９に係合させることにより、図柄表示体３が巻き始端３２と巻き終端３３との間の複数箇所において位置決めされて取付け作業が容易となり、また、巻き始端３２と巻き終端３３との間の複数箇所において図柄表示体３と円筒体４の外周面４２との密着性を保持できる。
さらに、図柄表示体３の巻き始端３２と巻き終端３３における帯幅方向の両側の端部３１，３１に係合片１０ａ（１０），１０ｂ（１０）を設けたので、図柄表示体３の巻き始端３２に設けた係合片１０ａから巻き終端３３に設けた係合片１０ｂまで順番に係合させていくことができるので、作業を容易にかつ確実に行える。
また、巻き始端３２に設けた係合片１０ａと巻き終端３３に設けた係合片１０ｂとを重ね合わせることで作業が正しく行えたか確認でき、作業を確実に行える。
【００１１】
尚、上記では、巻き始端３２と巻き終端３３とを重ね合わせて接着したが、巻き始端３２と巻き終端３３とを突き合わせて接着してもよい。例えば、両面接着テープを巻き始端３２から突出するように巻き始端３２の裏面に予め取付けておき、巻き終端３３を巻き始端３２に突き合わせた状態で巻き終端３３の裏面を両面接着テープに接着すればよい。
【００１２】
実施形態２
実施形態１では、係合片１０により図柄表示体側係止部を形成し、フランジ８に設けた上方開放の凹部９によりドラムリール側係止部を形成したが、図４に示すように、ドラムリール２の円筒体４の幅方向の両側の端部４１，４１において外周面４２より立上る係止突起５０によりドラムリール側係合部を形成し、係止突起５０に対応して図柄表示体３の両側の端部３１，３１に設けられた係止孔５１により図柄表示体側係合部を形成してもよい。
【００１３】
実施形態３
実施形態１では、係合片１０により図柄表示体側係止部を形成し、フランジ８に上方開放の凹部９を形成したが、図５に示すように、図柄表示体３の係合片１０が嵌め込まれる係止孔６０をフランジ８に形成してもよい。
【００１４】
尚、各実施形態では、図柄表示体３の巻き始端３２、巻き終端３３、及び帯幅方向の両側の端部３１，３１の複数箇所に図柄表示体側係合部を設けたが、図柄表示体側係合部を巻き始端３２及び巻き終端３３にだけ設けてもよい。これによっても巻き始端３２及び巻き終端３３の図柄表示体側係合部で位置決めされた状態で図柄表示体３が取付けられるので、取付け作業が容易となり、かつ、折曲部による反発力は生じないので、図柄表示体３と円筒体４の外周面４２との密着性を保持できる。また、巻き始端３２と巻き終端３３とに設けた図柄表示体側係合部をドラムリール側係合部に係合することで作業が正しく行えたか確認でき、作業を確実に行える。
また、図柄表示体側係合部を巻き始端３２あるいは巻き終端３３のどちらか一方にだけ設けてもよい。これによっても巻き始端３２あるいは巻き終端３３が図柄表示体側係合部で位置決めされた状態で図柄表示体３を取付けることができるので、取付け作業が容易となり、かつ、折曲部による反発力は生じないので、図柄表示体３と円筒体４の外周面４２との密着性を保持できる。
また、図柄表示体側係合部を巻き始端３２と巻き終端３３とに設けずに、かつ、図柄表示体３の帯幅方向の両側の端部３１，３１にそれぞれ１つだけ図柄表示体側係合部を設けるようにしてもよい。これによっても図柄表示体３の帯幅方向の両側の端部３１，３１に設けられた図柄表示体側係合部で位置決めされた状態で図柄表示体３を取付けることができるので、取付け作業が容易となり、かつ、折曲部による反発力は生じないので、図柄表示体３と円筒体４の外周面４２との密着性を保持できる。
即ち、以上によっても、特許文献１の図柄表示体のように略直角に折曲された係止片を備えず屈曲部の反発が生じることがないので、図柄表示体３をドラムリール２の周囲に取付ける際の位置決め作業及び取付け作業を容易にできるとともに、ドラムリール２の周面と図柄表示体３との密着性を保持できる。
【図面の簡単な説明】
【図１】本発明の実施形態１によるリールの分解斜視図。
【図２】実施形態１による図柄表示体の平面図。
【図３】図柄表示体の巻き始端と巻き終端の取付け態様を示す図。
【図４】実施形態２によるリールの分解斜視図。
【図５】実施形態３によるリールの分解斜視図。
【符号の説明】
１  リール、２  ドラムリール、３  図柄表示体、４  円筒体、
９  凹部（ドラムリール側係合部）、１０  係合片（図柄表示体側係合部）、
３１  図柄表示体の帯幅方向の端部、３２  巻き始端、３３  巻き終端。
【図１】
2004201760.tif 000003
【図２】
2004201760.tif 000004
【図３】
2004201760.tif 000005
【図４】
2004201760.tif 000006
【図５】
2004201760.tif 000007